【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
メンバーズカードから当該メンバーズカードを発行した顧客を特定する顧客データを読み取るカードリーダ部を備え、該カードリーダ部により読み取った顧客データと利用金額とが、一日のタクシー営業時間終了後に読み出して前記顧客データにより特定される顧客に対して利用料金を後日請求できるように前記カードリーダ部内のメモリカードに一緒に蓄積されるとともに、前記読み取った顧客データによって特定される顧客に対するサービス案内情報に基づくサービスをタクシー利用者に対して行うタクシー車両に設けられたタクシー用端末装置であって、
顧客を特定する顧客データを記録したメンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積され、該蓄積された情報を無線回線を介して受信した前記顧客データに基づいて検索し、該検索により取得した顧客データによって特定される顧客のサービス情報に基づいて当該顧客に対する前記累計利用金額に応じた累計割引率を含むサービス案内情報を作成して前記無線回線を介して送信するセンター側管理装置と前記無線回線を介して接続され、前記センター側管理装置とともにタクシー利用システムを構成し、
前記カードリーダ部により前記メンバーカードから読み取られた顧客データを前記無線回線を介して前記センター側管理装置に向けて送信するとともに、該送信した顧客データに応じて前記センター側管理装置から送信されてくる当該顧客データにより特定される顧客に対する前記サービス案内情報を受信する無線送受信部と、
該無線送受信部により受信した前記サービス案内情報が有する前記累計割引率に基づく表示を行う表示部とを有し、
該表示部に表示した累計割引率による料金の割引のサービスを行う
ことを特徴とするタクシー用端末装置。
【請求項２】
請求項１に記載のタクシー用端末装置において、前記メンバーズカードは予め定めた複数のタクシー会社で共通に使用できるものである
ことを特徴とするタクシー用端末装置。
【請求項３】
請求項１又は２に記載のタクシー用端末装置において、前記カードリーダ部は、前記メンバーズカードと、クレジットカードやデビットカード等の他のカードとを識別する機能を有し、当該識別されたカードが前記メンバーズカードである場合に限り、当該メンバーズカード内の顧客データを前記無線送受信部を介して前記センター側管理装置に送信させる
ことを特徴とするタクシー用端末装置。
【請求項４】
メンバーズカードから当該メンバーズカードを発行した顧客を特定する顧客データを読み取るカードリーダ部を備え、該カードリーダ部により読み取った顧客データと利用金額とが、一日のタクシー営業時間終了後に読み出して前記顧客データにより特定される顧客に対して利用料金を後日請求できるように前記カードリーダ部内のメモリカードに一緒に蓄積されるとともに、前記読み取った顧客データによって特定される顧客に対するサービス案内情報に基づくサービスをタクシー利用者に対して行うようにしたタクシー用端末装置であって、
顧客を特定する顧客データを記録したメンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、
前記カードリーダ部により前記メンバーカードから読み取られた顧客データに基づいて前記顧客用データベースに蓄積された情報を検索し、該検索により取得した顧客データによって特定される顧客のサービス情報に基づいて当該顧客に対する前記累計利用金額に応じた累計割引率を含むサービス案内情報を作成するサービス案内情報作成部と、
該サービス案内情報作成部が作成した前記サービス案内情報が有する前記累計割引率に基づく表示を行う表示部とを有し、
該表示部に表示した累計割引率による料金の割引のサービスを行う
ことを特徴とするタクシー用端末装置。
【手続補正２】
【補正対象書類名】明細書
【補正対象項目名】０００７
【補正方法】変更
【補正の内容】
【０００７】
上記の目的を達成するためなされた請求項１に係る発明のタクシー用端末装置は、メンバーズカードから当該メンバーズカードを発行した顧客を特定する顧客データを読み取るカードリーダ部を備え、該カードリーダ部により読み取った顧客データと利用金額とが、一日のタクシー営業時間終了後に読み出して前記顧客データにより特定される顧客に対して利用料金を後日請求できるように前記カードリーダ部内のメモリカードに一緒に蓄積されるとともに、前記前記読み取った顧客データによって特定される顧客に対するサービス案内情報に基づくサービスをタクシー利用者に対して行うタクシー車両に設けられたタクシー用端末装置であって、顧客を特定する顧客データを記録したメンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積され、該蓄積された情報を無線回線を介して受信した前記顧客データに基づいて検索し、該検索により取得した当顧客データによって特定される顧客のサービス情報に基づいて当該顧客に対する前記累計利用金額に応じた累計割引率を含むサービス案内情報を作成して前記無線回線を介して送信するセンター側管理装置と前記無線回線を介して接続され、前記センター側管理装置とともにタクシー利用システムを構成し、メンバーズカードから当該メンバーズカードを発行した顧客を特定する顧客データを読み取るカードリーダ部と、該カードリーダ部により前記メンバーカードから読み取られた顧客データを前記無線回線を介して前記センター側管理装置に向けて送信するとともに、該送信した顧客データに応じて前記センター側管理装置から送信されてくる当該顧客データにより特定される顧客に対するサービス案内情報を受信する無線送受信部と、該無線送受信部により受信した前記サービス案内情報が有する前記累計割引率に基づく表示を行う表示部とを有し、該表示部に表示した累計割引率による料金の割引のサービスを行うことを特徴としている。
【手続補正３】
【補正対象書類名】明細書
【補正対象項目名】００１０
【補正方法】変更
【補正の内容】
【００１０】
上記の目的を達成するためなされた請求項４に係る発明のタクシー用端末装置は、メンバーズカードから当該メンバーズカードを発行した顧客を特定する顧客データを読み取るカードリーダ部を備え、該カードリーダ部により読み取った顧客データと利用金額とが、一日のタクシー営業時間終了後に読み出して前記顧客データにより特定される顧客に対して利用料金を後日請求できるように前記カードリーダ部内のメモリカードに一緒に蓄積されるとともに、前記読み取った顧客データによって特定される顧客に対するサービス案内情報に基づくサービスをタクシー利用者に対して行うようにしたタクシー用端末装置であって、顧客を特定する顧客データを記録したメンバーズカードを発行した顧客に関する顧客情報と、前記メンバーズカードを使用してタクシーを利用したときの利用金額の累計であり、利用料金を請求するため前記メモリカードから読み出した前記顧客データと前記利用金額とに基づいて集計された累計利用金額に応じた累計割引率を含む顧客別のサービス情報とが蓄積された顧客用データベースと、前記メンバーズカードから当該メンバーズカードを発行した顧客を特定する顧客データを読み取るカードリーダ部と、該カードリーダ部により前記メンバーカードから読み取られた顧客データに基づいて前記顧客用データベースに蓄積された情報を検索し、該検索により取得した当顧客データによって特定される顧客のサービス情報に基づいて当該顧客に対する前記累計利用金額に応じた累計割引率を含むサービス案内情報を作成するサービス案内情報作成部と、該サービス案内情報作成部が作成した前記サービス案内情報が有する前記累計割引率に基づく表示を行う表示部とを有し、該表示部に表示した累計割引率による料金の割引のサービスを行うことを特徴としている。
【手続補正４】
【補正対象書類名】明細書
【補正対象項目名】００１１
【補正方法】変更
【補正の内容】
【００１１】
上記構成の本発明のタクシー用端末装置によれば、メンバーズカードから当該メンバーズカードを発行した顧客を特定する顧客データを読み取るカードリーダ部を備え、該カードリーダ部により読み取った顧客データと利用金額とが、一日のタクシー営業時間終了後に読み出して顧客データにより特定される顧客に対して利用料金を後日請求できるようにカードリーダ部内のメモリカードに一緒に蓄積されるとともに、この読み取った顧客データをによって特定される顧客に対するサービス案内情報に基づくサービスをタクシー利用者に対して行うことができる。
特に、タクシー用端末装置は、顧客を特定する顧客データを記録したメンバーズカードを発行した顧客に関する顧客情報と、メンバーズカードを使用してタクシーを利用したときの利用金額の累計であり、利用料金を請求するためメモリカードから読み出した顧客データと利用金額とに基づいて集計された累計利用金額に応じた累計割引率を含む顧客別のサービス情報とが蓄積され、この蓄積された情報を無線回線を介して受信した顧客データに基づいて検索し、この検索により取得した顧客データによって特定される顧客のサービス情報に基づいて当該顧客に対する累計利用金額に応じた累計割引率を含むサービス案内情報を作成して無線回線を介して送信するセンター側管理装置と無線回線を介して接続され、センター側管理装置とともにタクシー利用システムを構成していて、メンバーズカードから当該メンバーズカードを発行した顧客を特定する顧客データをカードリーダ部により読み取り、この読み取った顧客データを無線送受信部が無線回線を介してセンター側管理装置に向けて送信するとともに、この送信した顧客データに応じてセンター側管理装置から送信されてくる当該顧客データにより特定される顧客に対するサービス案内情報を受信し、この受信したサービス案内情報が有する累計割引率に基づく表示を表示部に行い、この表示した累計割引率による料金の割引のサービスを行うので、メンバーズカード利用者はタクシー利用頻度に応じた料金の割引サービスを受けることができる。
【手続補正５】
【補正対象書類名】明細書
【補正対象項目名】００１３
【補正方法】変更
【補正の内容】
【００１３】
上記構成の本発明のタクシー用端末装置によれば、自身が有するカードリーダ部がメンバーズカードから当該メンバーズカードを発行した顧客を特定する顧客データを読み取り、この読み取った顧客データと利用金額とが、一日のタクシー営業時間終了後に読み出して前記顧客データにより特定される顧客に対して利用料金を後日請求できるように前記カードリーダ部内のメモリカードに一緒に蓄積される。そして、自身が有する顧客用データベースが、顧客を特定する顧客データを記録したメンバーズカードを発行した顧客に関する顧客情報と、前記メンバーズカードを使用してタクシーを利用したときの利用金額の累計であり、利用料金を請求するためメモリカードから読み出した顧客データと利用金額とに基づいて集計された累計利用金額に応じた累計割引率を含む顧客別のサービス情報とを蓄積し、メンバーズカードからカードリーダ部により読み取った顧客データに基づいて顧客用データベースに蓄積された情報を検索し、この検索により取得した顧客データによって特定される顧客のサービス情報に基づいてサービス案内情報作成部が当該顧客に対する累計利用金額に応じた累計割引率を含むサービス案内情報を作成し、この作成したサービス案内情報が有する累計割引率に基づく表示を表示部に行い、この表示した累計割引率による料金の割引のサービスを行うので、メンバーズカード利用者はタクシー利用頻度に応じた料金の割引サービスを受けることができ、利用者の利便性を維持しつつも構成の簡素化が可能となる。
【手続補正６】
【補正対象書類名】明細書
【補正対象項目名】００１４
【補正方法】変更
【補正の内容】
【００１４】
以上説明したように本発明によれば、タクシー利用頻度に応じた料金の割引サービスを受けることができるので、メンバーズカードを所持するタクシー利用者にとってより一層の利便性向上を可能にするとともに、この利便性の向上によってタクシー会社にとって顧客の確保とタクシー利用の促進を可能にしたタクシー用端末装置を提供することができる。また、端末装置側でサービス案内情報を作成することができ、利用者の利便性を維持しつつも構成の簡素化が可能となる。
【手続補正７】
【補正対象書類名】明細書
【補正対象項目名】００４３
【補正方法】変更
【補正の内容】
【００４３】
サービス案内情報作成部６３は、カードリーダ部５１によりメンバーカード２０から読み取った顧客データに基づいて顧客用データベース６２を検索し、この顧客データにより特定されるタクシー利用者に関する顧客用データベース６２内の顧客情報およびサービス情報（図３参照）に基づいて当該タクシー利用者のサービス案内情報を作成する機能を有する。